(57)【要約】【課題】携帯端末装置を用いてコンピューターに新たな機能を追加可能にする。【解決手段】情報入力システム１は、携帯端末装置２及びＰＣ３を備える。携帯端末装置２は、撮像部２７と、撮像部により撮影された撮像画像に基づいて携帯端末装置２の移動方向及び移動量を検出する検出部２０２と、検出部２０２によって検出された移動方向及び移動量を示す移動情報をＰＣ３に送信する送信制御部２０３とを備える。ＰＣ３は、携帯端末装置２から送信されてきた移動情報を受信する情報受信部３０２と、情報受信部３０２によって受信された移動情報の示す移動方向及び移動量を、カーソルを移動させる移動方向及び移動量として受け付ける情報受付部３０３とを備える。【選択図】図１
2015103109.tif 000002
【特許請求の範囲】
【請求項１】
コンピューターと携帯端末装置とを備える情報入力システムであって、
前記携帯端末装置は、
対向物を撮像する撮像部と、
前記撮像部によって撮像された撮像画像に基づいて当該携帯端末装置の移動方向及び移動量を検出する検出部と、
前記検出部によって検出された前記移動方向及び移動量を示す移動情報を前記コンピューターに送信する送信制御部とを備え、
前記コンピューターは、
前記携帯端末装置の前記送信制御部から送信されてきた前記移動情報を受信する情報受信部と、
前記情報受信部によって受信された前記移動情報の示す移動方向及び移動量を、当該コンピューターで動作するアプリケーションにおいて機能するカーソルを移動させる移動方向及び移動量として受け付ける情報受付部とを備える情報入力システム。
【請求項２】
前記携帯端末装置は、
タッチパネルを有して画像表示が可能な表示部と、
前記表示部に、操作者からクリック操作による指示を前記タッチパネルにより受け付けるための指示受付用画像を表示させる表示制御部と、
前記表示領域において前記タッチパネルにより検出された操作者による接触位置が、前記表示領域における指示受付用画像の表示部分であるときに、前記クリック操作による指示の入力を受け付ける指示受付部とを備え、
前記送信制御部は、前記指示受付部に受け付けられた前記クリック操作による指示を前記コンピューターに更に送信し、
前記コンピューターは、
前記情報受信部が、前記携帯端末装置から送信されてくる前記クリック操作による指示を更に受信し、
前記情報受付部が、前記情報受信部によって受信された前記クリック操作による指示を、前記アプリケーション内で前記カーソルが示す位置において実行すべき指示として受け付ける請求項１に記載の情報入力システム。
【請求項３】
前記携帯端末装置は、
前記表示制御部が、前記表示部に、操作者からスクロール操作による指示を受け付けるための指示受付用画像を更に表示させ、
前記指示受付部は、前記タッチパネルにより検出される操作者による接触位置が、前記表示領域における当該指示受付用画像の表示部分で一定方向に移動している場合に、前記スクロール操作による指示の入力を受け付け、
前記送信制御部は、前記指示受付部に受け付けられた前記スクロール操作による指示を前記コンピューターに更に送信し、
前記コンピューターは、
前記情報受信部が、前記携帯端末装置から送信されてくる前記スクロール操作による指示を更に受信し、
前記情報受付部が、前記情報受信部によって受信された前記スクロール操作による指示を、前記アプリケーション内で実行される指示として受け付ける請求項２に記載の情報入力システム。
【請求項４】
コンピューターと携帯端末装置とを備える情報入力システムであって、
前記携帯端末装置は、
被写体を撮像する撮像部と、
前記撮像部によって撮像された撮像画像を前記コンピューターに送信する送信制御部とを備え、
前記コンピューターは、
前記携帯端末装置の前記送信制御部から送信されてきた前記撮像情報を受信する情報受信部と、
前記情報受信部によって受信された撮像画像を、当該コンピューターで動作する予め定められたアプリケーションで用いる画像として受け付ける情報受付部とを備える情報入力システム。
【請求項５】
前記携帯端末装置は、
前記コンピューターに通信接続するインターフェイス部と、
前記インターフェイス部による前記コンピューターとの通信が確立したときに、前記コンピューターにおいて前記情報受信部及び前記情報受付部を起動させる通信制御部と、
を更に備える請求項１乃至請求項４のいずれかに記載の情報入力システム。
【請求項６】
前記インターフェイス部は、前記コンピューターに繋がるケーブルを介して前記コンピューターと通信し、
前記通信制御部は、前記インターフェイス部に前記ケーブルが接続されて前記コンピューターとの通信が確立したときに、前記コンピューターにおいて前記情報受信部及び前記情報受付部を起動させる請求項５に記載の情報入力システム。
【請求項７】
前記インターフェイス部は、無線通信により前記コンピューターと通信し、
前記通信制御部は、前記インターフェイス部と前記コンピューターとの無線通信が確立したときに、前記コンピューターにおいて前記情報受信部及び前記情報受付部を起動させる請求項５に記載の情報入力システム。
【請求項８】
コンピューターと通信可能な携帯端末装置であって、
対向物を撮像部と、
前記撮像部によって撮像された撮像画像に基づいて移動方向及び移動量を検出する検出部と、
前記検出部によって検出された前記移動方向及び移動量を示す移動情報を前記コンピューターに送信する送信制御部と、を備える携帯端末装置。
【請求項９】
通信端末装置と通信可能なコンピューターであって、
前記携帯端末装置の前記送信制御部から送信されてきた移動情報を受信する情報受信部と、
前記情報受信部によって受信された移動情報の示す移動方向及び移動量を、カーソルを移動させる移動方向及び移動量として受け付ける情報受付部と、を備えるコンピューター。
【発明の詳細な説明】
【技術分野】
【０００１】
本発明は、情報入力システム、携帯端末装置、及びコンピューターに関し、特に、コンピューターに情報を入力する技術に関する。
【背景技術】
【０００２】
持ち運びを便利にするために、キーボード等の構成を最小として小型軽量化を図った情報処理装置が多く提案されている。このような最小限の機能を有する情報処理装置では操作性を向上させることが望まれる。そして、今日では、コンピューターに情報を入力する操作を容易にするため、様々なユーザーインターフェイスが提案されている。例えば、下記特許文献１に示されるように、パーソナルコンピューターに携帯端末を接続して、互いにデータ送受信を可能にする装置が提案されている。また、特許文献２には、パーソナルコンピューターのディスプレイに表示されるユーザーインターフェイスを更に改良することにより、操作者の操作性を向上させる装置が示されている。
【先行技術文献】
【特許文献】
【０００３】
【特許文献１】特開２０１２−１９０４３６号公報
【特許文献２】特開２０１２−２２６７５４号公報
【発明の概要】
【発明が解決しようとする課題】
【０００４】
しかしながら、上記特許文献１に示される装置はコンピューター及び携帯端末との間でのデータ通信技術に関するものに過ぎず、コンピューターに対して新たな機能を追加することを可能にするものではない。また、上記特許文献２に示される装置も、操作者がディスプレイ表示に基づいた操作を行う際の操作性を向上させるが、コンピューターに対する新たな機能の追加を実現するものではない。
【０００５】
本発明は、上記の問題を解決するためになされたもので、携帯端末装置を用いてコンピューターに新たな機能を追加可能とすることを目的とする。
【課題を解決するための手段】
【０００６】
本発明の一局面に係る情報入力システムは、コンピューターと携帯端末装置とを備える情報入力システムであって、
前記携帯端末装置は、
対向物を撮像部と、
前記撮像部によって撮像された撮像画像に基づいて当該携帯端末装置の移動方向及び移動量を検出する検出部と、
前記検出部によって検出された前記移動方向及び移動量を示す移動情報を前記コンピューターに送信する送信制御部とを備え、
前記コンピューターは、
前記携帯端末装置の前記送信制御部から送信されてきた前記移動情報を受信する情報受信部と、
前記情報受信部によって受信された前記移動情報の示す移動方向及び移動量を、当該コンピューターで動作するアプリケーションにおいて機能するカーソルを移動させる移動方向及び移動量として受け付ける情報受付部とを備える。
【０００７】
また、本発明の他の一局面に係る発明は、コンピューターと携帯端末装置とを備える情報入力システムであって、
前記携帯端末装置は、
被写体を撮像する撮像部と、
前記撮像部によって撮像された撮像画像を前記コンピューターに送信する送信制御部とを備え、
前記コンピューターは、
前記携帯端末装置の前記送信制御部から送信されてきた前記撮像情報を受信する情報受信部と、
前記情報受信部によって受信された撮像画像を、当該コンピューターで動作する予め定められたアプリケーションで用いる画像として受け付ける情報受付部とを備える。
【０００８】
また、本発明の他の一局面に係る発明は、コンピューターと通信可能な携帯端末装置であって、
対向物を撮像する撮像部と、
前記撮像部によって撮像された撮像画像に基づいて移動方向及び移動量を検出する検出部と、
前記検出部によって検出された前記移動方向及び移動量を示す移動情報を前記コンピューターに送信する送信制御部と、を備える。
【０００９】
また、本発明の他の一局面に係る発明は、通信端末装置と通信可能なコンピューターであって、
前記携帯端末装置の前記送信制御部から送信されてきた移動情報を受信する情報受信部と、
前記情報受信部によって受信された移動情報の示す移動方向及び移動量を、カーソルを移動させる移動方向及び移動量として受け付ける情報受付部と、を備える。
【発明の効果】
【００１０】
本発明によれば、携帯端末装置を用いてコンピューターに新たな機能を追加することが可能になる。
【図面の簡単な説明】
【００１１】
【図１】情報入力システムの全体を示す図である。
【図２】携帯端末装置の内部構成の概略を示すブロック図である。
【図３】ＰＣの構成概略を示すブロック図である。
【図４】情報入力システムの携帯端末装置による情報入力処理の第１実施形態における処理の流れを示すフローチャートである。
【図５】情報入力システムのＰＣによる情報入力処理の第１実施形態における処理の流れを示すフローチャートである。
【図６】携帯端末装置の表示部に指示受付用画像が表示された状態の例を示す図である。
【図７】第２実施形態に係る携帯端末装置の概略構成を示すブロック図である。
【図８】第２実施形態に係る携帯端末装置及びＰＣを備える情報入力システムによる撮像画像入力処理における処理の流れを示すフローチャートである。
【発明を実施するための形態】
【００１２】
以下、本発明の一実施形態に係る情報入力システム、携帯端末装置、及びコンピューターについて図面を参照して説明する。
【００１３】
図１は、情報入力システム１の全体を示す図である。図１に示すように、情報入力システム１は、携帯端末装置２と、パーソナルコンピューター（以下、ＰＣ）３とを備えている。情報入力システム１では、携帯端末装置２がＰＣ３に接続され、携帯端末装置２はＰＣ３に対してクリック操作、スクロール操作、又は撮像画像等を入力する装置として機能する。ＰＣ３への携帯端末装置２の接続は、ＵＳＢケーブル等による有線接続、及びＢｌｕｅｔｏｏｔｈ（登録商標）等による無線接続のいずれであっても構わない。
【００１４】
図２は、第１実施形態に係る携帯端末装置２の内部構成の概略を示すブロック図である。携帯端末装置２は、制御ユニット２００と、操作部２１と、メモリー２２と、表示部２３と、通信インターフェイス２４と、撮像部２７とを備える。これら各部は、互いにＣＰＵバスによりデータ又は信号の送受信が可能とされている。
【００１５】
制御ユニット２００は、ＲＯＭ及びＲＡＭを備えるＣＰＵ等からなり、携帯端末装置２の全体的な動作制御を司る。
【００１６】
操作部２１は、ハード構成としてのテンキー、又は、表示部２３に設けられたタッチパネル等から構成される。操作部２１には、例えば、クリック操作及びスクロール操作が上記タッチパネルを介して入力される。当該タッチパネルは、表示部２３の表示領域における操作者による接触位置を検出する接触位置検出部として機能する。
【００１７】
メモリー２２は、表示部２３に表示させる画像データや、各種アプリケーションを記憶している。メモリー２２には、本発明の一実施形態に係る情報入力プログラムが記憶されている。
【００１８】
制御ユニット２００は、当該情報入力プログラムに従って動作することで、後述する検出部２０２、送信制御部２０３、表示制御部２０４、指示受付部２０５、及び通信制御部２０６として機能する。但し、制御ユニット２００の検出部２０２、送信制御部２０３、表示制御部２０４、指示受付部２０５、及び通信制御部２０６は、情報入力プログラムに基づく動作によらず、それぞれハード回路により構成されてもよい。以下、特に触れない限り、各実施形態について同様である。
【００１９】
表示部２３は、ＬＣＤ（Liquid Crystal Display）等からなり、当該携帯端末装置２の操作に必要な画像やメッセージを表示する他に、操作者からクリック操作及びスクロール操作による指示を受け付けるための指示受付用画像を表示する。当該指示受付用画像は、例えば、マウスポインターの右クリック指示受付用画像、左クリック指示受付用画像、及びスクロール指示受付用画像である。これら指示受付用画像は、メモリー２２に記憶されている。
【００２０】
通信インターフェイス２４は、ＰＣ３との間でデータ通信を行うためのインターフェイスとして機能する。通信インターフェイス２４は、ＵＳＢによる有線接続の通信方式に対応した機能、又は、ＰＣ３との接続が無線の場合にはＢｌｕｅｔｏｏｔｈ（登録商標）等による通信方式に対応した機能を有する。
【００２１】
撮像部２７は、ＣＣＤイメージセンサー又はＣＭＯＳイメージセンサーを備え、撮像部２７に対向する位置にある物体や風景を対向物としてその画像を撮影する。
【００２２】
制御ユニット２００は、制御部２０１、検出部２０２、送信制御部２０３、表示制御部２０４、指示受付部２０５、及び通信制御部２０６を備える。
【００２３】
制御部２０１は、携帯端末装置２全体の動作制御を司る。制御部２０１は、操作部２１、メモリー２２、表示部２３、通信インターフェイス２４、撮像部２７の動作を制御する。
【００２４】
検出部２０２は、撮像部２７によって撮像される反射光を含む画像に基づいて携帯端末装置２の移動方向及び移動量を検出する。例えば、携帯端末装置２の撮像部２７が配設されている側の面２０（図１）を机上面に対向させて机上に携帯端末装置２を載置した状態で撮像部２７による撮影を行うと、撮像部２７は、撮影領域にあり対向する机上面部分の画像を読み取る。検出部２０２は、読み取った画像のパターンを保持し、その後に読み取る画像との同一画像部分がｘ軸方向及びｙ軸方向にどのように移動していくかをキャプチャし続けることで、ｘ軸方向及びｙ軸方向における携帯端末装置２の移動方向及び移動量を算出する。
【００２５】
送信制御部２０３は、検出部２０２によって検出された上記移動方向及び移動量を示す移動情報をＰＣ３に送信する。また、送信制御部２０３は、指示受付部２０５に受け付けられた後述のクリック操作及びスクロール操作による指示をＰＣ３に更に送信する。
【００２６】
表示制御部２０４は、表示部２３による表示動作の制御を司る。表示制御部２０４は、表示部２３に、操作者からクリック操作及びスクロール操作による指示を受け付けるための上記指示受付用画像をそれぞれ表示させる。
【００２７】
指示受付部２０５は、表示部２３の表示領域において前記タッチパネルにより検出された操作者による接触位置が、当該表示領域における上記右クリック指示受付用画像、左クリック指示受付用画像、又はスクロール指示受付用画像のいずれかの表示部分であるときに、当該接触位置に表示されている指示受付用画像に対応する指示の入力を受け付ける。
【００２８】
通信制御部２０６は、通信インターフェイス（インターフェイス部）２４を介したＰＣ３との通信に必要な制御を行う。通信制御部２０６は、通信インターフェイス２４によるＰＣ３との通信が確立したときに、ＰＣ３に対して後述の情報受付プログラムの起動指示を送信し、ＰＣ３において情報受信部３０２及び情報受付部３０３を起動させる。
【００２９】
なお、制御部２０１が、送信制御部２０３、表示制御部２０４、及び通信制御部２０６を兼ねる構成でもよい。この場合は、制御ユニット２００が情報入力プログラムに従った動作により制御部２０１として機能し、独立した送信制御部２０３、表示制御部２０４及び通信制御部２０６は不要である。
【００３０】
上述した情報入力プログラムは、ＰＣ３にインストールされている後述の情報受付プログラムと連携して動作する。これにより、ＰＣ３において、携帯端末装置２の送信制御部２０３からＰＣ３に送信する指示の受信処理、入力受付処理等を可能にしている。
【００３１】
次に、ＰＣ３の構成概略を説明する。図３はＰＣ３の構成概略を示すブロック図である。
【００３２】
ＰＣ３は、制御ユニット３００と、ＨＤＤ３１４と、表示部３１５と、通信インターフェイス３１８と、入力部３０４とを備える。これら各部は、互いにバスによりデータ又は信号の送受信が可能とされている。
【００３３】
制御ユニット３００は、ＲＯＭ及びＲＡＭを備えるＣＰＵ等からなり、ＰＣ３の全体的な動作制御を司る。
【００３４】
ＨＤＤ３１４は、各種のアプリケーション等のデータを格納する。例えば、ＨＤＤ３１４は、本発明の一実施形態である情報受付プログラムを記憶している。
【００３５】
表示部３１５は、ＬＣＤ（Liquid Crystal Display）等からなり、各種画像を表示する。例えば、表示部３１５には、制御部３０１による制御の下、ＨＤＤ３１４に記憶されているアプリケーション、例えばＯＳ（Operating System）や、ワードプロセッサーや表計算ソフト等の実行時の画像が表示される。
【００３６】
通信インターフェイス３１８は、携帯端末装置２との間でデータ通信を行うためのインターフェイスとして機能する。通信インターフェイス３１８は、上記ＵＳＢケーブルによる有線通信、又はＢｌｕｅｔｏｏｔｈ（登録商標）等による無線通信に対応した機能を有する。
【００３７】
入力部３０４は、キーボードやマウスポインター等により構成される。操作者からの操作指示や文字等の入力を受け付ける。
【００３８】
制御部ユニット３００は、制御部３０１、情報受信部３０２、及び情報受付部３０３を備える。
【００３９】
制御ユニット３００は、ＨＤＤ３０１に記憶されている上記情報受付プログラムに従って動作することで、情報受信部３０２、及び情報受付部３０３として機能する。但し、これら情報受信部３０２及び情報受付部３０３は、情報受付プログラムに基づく動作によらず、それぞれハード回路により構成されてもよい。
【００４０】
制御部３０１は、ＰＣ３全体の動作制御を司る。
【００４１】
情報受信部３０２は、携帯端末装置２の送信制御部２０３から送信されてきた各種情報、例えば、上記移動情報、右クリック操作指示、左クリック操作指示、及びスクロール操作指示等を受信する。
【００４２】
情報受付部３０３は、情報受信部３０２によって受信された移動情報の示す移動方向及び移動量を、ＰＣ３において制御部３０１により表示部３１５に表示されている、マウスポインターのカーソルとしてのカーソル画像を移動させる移動方向及び移動量として受け付ける。また、情報受付部３０３は、情報受信部３０２によって受信された右クリック操作指示、左クリック操作指示及びスクロール操作指示を、アプリケーションで実行される指示として受け付ける。
【００４３】
上述したように、ＰＣ３の情報受付プログラムは、携帯端末装置２側の情報入力プログラムと連携して動作することにより、携帯端末装置２から送信されてくる上記移動情報、クリック操作指示、及びスクロール操作指示等の受信処理、入力受付処理等を可能にしている。
【００４４】
次に、情報入力システム１による情報入力処理の第１実施形態を説明する。図４は情報入力システム１の携帯端末装置２による情報入力処理の第１実施形態における処理の流れを示すフローチャートである。図５は情報入力システム１のＰＣ３による情報入力処理の第１実施形態における処理の流れを示すフローチャートである。情報入力システム１の携帯端末装置２は、上記に例として示したように、撮像部２７が配置されている面２０を机上に対向させて机上面に載置されているものとする。
【００４５】
携帯端末装置２において、操作者が操作部２１を操作し、情報入力プログラムの起動指示を入力すると、制御ユニット２００が情報入力プログラムを起動し（Ｓ１）、制御ユニット２００は、検出部２０２、送信制御部２０３、表示制御部２０４、指示受付部２０５、及び通信制御部２０６として機能する。
【００４６】
この後、通信制御部２０６が、携帯端末装置２が通信インターフェイス２４を介してＰＣ３に接続されたか否かを検出する（Ｓ２）。通信制御部２０６は、携帯端末装置２がＰＣ３に接続されていることを検出した場合（Ｓ２でＹＥＳ）、ＰＣ３に対して、ＰＣ３側の情報受付プログラムの起動指示を送信する（Ｓ３）。なお、通信制御部２０６が、携帯端末装置２がＰＣ３に接続されていないと検出した場合は（Ｓ２でＮＯ）、処理は終了する。
【００４７】
なお、Ｓ１においては、操作者からの起動指示に代えて、制御部２０１により携帯端末装置２がＰＣ３に接続したと検出されたことをもってこれを起動指示とし、上記情報受付プログラムを起動させるものとしてもよい。この場合、情報入力プログラムの起動後、通信制御部２０６は、ＰＣ３に対して、上述した情報受付プログラムの起動指示を即座に送信する。
【００４８】
ＰＣ３において、その通信インターフェイス３１８が上記起動指示を受信すると（Ｓ２１）、制御部３０１は、上記情報受付プログラムを起動する（Ｓ２２）。
【００４９】
一方、携帯端末装置２においては、上記情報受付プログラムの起動指示送信後、送信制御部２０３が撮像部２７を起動させる（Ｓ４）。これにより、撮像部２７が撮像画像を取得開始する（Ｓ５）。表示制御部２０４は、上記右クリック指示受付用画像、左クリック指示受付用画像、及びスクロール指示受付用画像を表示部２３に表示させる（Ｓ６）。このとき、上記タッチパネルの機能により、表示部２３において操作者により接触された座標位置が検出可能な状態となっている（Ｓ７）。
【００５０】
図６は、携帯端末装置２の表示部２３に指示受付用画像が表示された状態の例を示す図である。表示部２３に表示されている指示受付用画像２３１は、右クリック指示受付用画像Ｎ１、左クリック指示受付用画像Ｎ２、スクロール指示受付用画像Ｎ３を有している。右クリック指示受付用画像Ｎ１には右クリック操作指示、左クリック指示受付用画像Ｎ２には左クリック操作指示、スクロール指示受付用画像Ｎ３にはスクロール指示がそれぞれ対応付けられている。これら各画像Ｎ１〜Ｎ３に対応する各指示の対応付は、指示受付部２０５が保有している（情報入力プログラムの一部としてメモリー２２に記憶されている）。
【００５１】
ここで、操作者が携帯端末装置２を上記机上面でスライドさせて移動させると、撮像部２７により時間経過と共に異なる画像が逐次に撮影され、検出部２０２が当該撮影された撮像画像を取得する。検出部２０２は、順次に連続して取得される各画像同士の差異を検出し（Ｓ７でＮＯ，Ｓ８）、携帯端末装置２の移動方向及び移動量を検出する（Ｓ９）。検出部２０２によって移動方向及び移動量が検出されると、送信制御部２０３は、当該移動方向及び移動量を移動情報としてＰＣ３に送信する（Ｓ１０）。
【００５２】
また、上記タッチパネルの機能により、表示部２３において操作者により接触された座標位置が検出された場合は（Ｓ７でＹＥＳ）、指示受付部２０５は、当該検出された座標位置に表示されている指示受付用画像が画像Ｎ１〜Ｎ３のいずれであるかを判別し（Ｓ１１）、当該判別された指示受付用画像に対応付けられている操作指示（右クリック操作指示、左クリック操作指示、及びスクロール操作指示のいずれかとなる）の入力を受け付ける（Ｓ１２）。
【００５３】
なお、指示受付部２０５は、タッチパネルにより検出される操作者による接触位置が、表示領域におけるスクロール操作指示受付用画像の表示部分であって一定方向に移動している場合は、スクロール操作による指示の入力を受け付ける。
【００５４】
そして、送信制御部２０３は、受け付けられた当該操作指示を、通信インターフェイス２４を介してＰＣ３に向けて送信する（Ｓ１３）。
【００５５】
操作者による操作部２１の操作で情報入力プログラムの終了指示が入力されるまで（Ｓ１４でＮＯ）、Ｓ７〜Ｓ１３の処理が繰り返される。
【００５６】
また、ＰＣ３において、携帯端末装置２から送信されてくる上記移動情報又は操作指示を情報受信部３０２が受信すると（Ｓ２３でＹＥＳ）、情報受付部３０３は、当該受信された移動情報の示す移動方向及び移動量、或いは、操作指示の示す指示内容（右クリック操作指示、左クリック操作指示、及びスクロール操作指示のいずれかとなる）を受け付け、この時点で立ち上げられているアプリケーション（例えばＯＳ（Operating System）や、ワードプロセッサーや表計算ソフト等）に対して、当該アプリケーションに入力される指示として受け付けさせる（Ｓ２４）。例えば、情報受付部３０３は、当該アプリケーションに対してマウスドライバーとして機能し、携帯端末装置２から送信されてくる上記受信された移動情報の示す移動方向及び移動量、或いは、操作指示の示す指示内容を、マウスポインターから入力される移動情報及び操作指示と同様にして上記アプリケーションに受け入れられるように処理を行う。当該アプリケーション又は制御部３０１は、当該指示に基づいて、マウスカーメルを示す画像を移動させて表示する。
【００５７】
なお、携帯端末装置２から送信されてくる上記移動情報又は操作指示を情報受信部３０２が受信していない状態では（Ｓ２３でＮＯ）、後述するＳ２５の処理が行われる。
【００５８】
また、携帯端末装置２において、操作者により情報入力プログラムの終了指示が入力されると（Ｓ１４でＹＥＳ）、通信制御部２０６は、ＰＣ３側の上記情報受付プログラムを終了させる終了指示を、通信インターフェイス２４を介してＰＣ３に送信する（Ｓ１５）。この後、制御ユニット２００は、情報入力プログラムを終了させる（Ｓ１６）。
【００５９】
ＰＣ３では、上記終了指示が通信インターフェイス３１８により受信されるまでは（Ｓ２５でＮＯ）、Ｓ２３及びＳ２４の処理が続けられる。そして、上記終了指示が通信インターフェイス３１８により受信されると（Ｓ２５でＹＥＳ）、制御ユニット３００が情報受付プログラムを終了させる（Ｓ２６）。
【００６０】
この第１実施形態によれば、ＰＣ３に接続した携帯端末装置２を、当該ＰＣ３のマウスポインターとして機能させることができるので、操作者は、マウスポインターを所持していなくても、マウスポインターにより入力される指示を、携帯端末装置２によりＰＣ３に入力することが可能になる。
【００６１】
次に、携帯端末装置２の第２実施形態を説明する。図７は第２実施形態に係る携帯端末装置２の概略構成を示すブロック図である。なお、図２を用いて説明した上記第１実施形態と同様の構成は説明を省略する。
【００６２】
制御ユニット２００は、メモリー２２に記憶されている画像送信プログラムに従って動作することで、送信制御部２０３及び通信制御部２０６として機能する。但し、制御ユニット２００の送信制御部２０３及び通信制御部２０６は、画像送信プログラムに基づく動作によらず、それぞれハード回路により構成されてもよい。
【００６３】
制御部２０１は、撮像部２７の動作制御を行い、撮像部２７に被写体の画像を撮像させる。
【００６４】
送信制御部２０３は、撮像部２７によって撮像された撮像画像を、通信インターフェイス２４を介してＰＣ３に送信する。
【００６５】
通信制御部２０６は、通信インターフェイス（インターフェイス部）２４を介したＰＣ３との通信に必要な制御を行う。
【００６６】
なお、第２実施形態に係る携帯端末装置２から送信されてくる撮像画像を受信するＰＣ３は、図３に示した構成と同様の構成を有する。このＰＣ３においては、ＨＤＤ３０１に記憶されている画像受信プログラムに従った動作により制御ユニット３００が、情報受信部３０２及び情報受付部３０３として機能する。但し、制御ユニット３００の情報受信部３０２及び情報受付部３０３は、画像受信プログラムに基づく動作によらず、それぞれハード回路により構成されてもよい。
【００６７】
図８は、第２実施形態に係る携帯端末装置２及びＰＣ３を備える情報入力システム１による撮像画像入力処理における処理の流れを示すフローチャートである。なお、図８に示す処理であって、図４，図５を用いて説明した処理と同様の処理は説明を省略する。
【００６８】
携帯端末装置２において、操作者が操作部２１を操作し、画像送信プログラムの起動指示を入力すると、制御ユニット２００が画像送信プログラムを起動し（Ｓ５１）、制御ユニット２００は、制御部２０１及び通信制御部２０６として機能する。
【００６９】
この後、通信制御部２０６が、携帯端末装置２が通信インターフェイス２４を介してＰＣ３に接続されたか否かを検出する（Ｓ５２）。通信制御部２０６は、携帯端末装置２がＰＣ３に接続されていることを検出した場合（Ｓ５２でＹＥＳ）、ＰＣ３に対して、ＰＣ３側の画像受信プログラムの起動指示を送信する（Ｓ５３）。なお、通信制御部２０６が、携帯端末装置２がＰＣ３に接続されていないと検出した場合は（Ｓ５２でＮＯ）、処理は終了する。
【００７０】
ＰＣ３において、その通信インターフェイス３１８が上記起動指示を受信すると（Ｓ６１）、制御部３０１は、上記画像受信プログラムを起動する（Ｓ６２）。ここで、情報受信部３０２は、携帯端末装置２から送信されてくる撮像画像を受け入れる予め定められたアプリケーション（例えば、インターネット通話ソフト、テレビ会議ソフト等）が起動されているかを検出する（Ｓ６３）。
【００７１】
情報受信部３０２が、上記予め定められたアプリケーションが起動されていると検出した場合（Ｓ６３でＹＥＳ）、情報受信部３０２は、通信インターフェイス３１８を介して、当該アプリケーションが起動されており、携帯端末装置２から撮像画像の受け入れが可能であることを示す「ＯＫ」信号を返信する（Ｓ６４）。
【００７２】
なお、情報受信部３０２により上記予め定められたアプリケーションが起動されていないと検出された場合（Ｓ６３でＮＯ）、通信制御部２０６は、通信インターフェイス３１８を介して、当該アプリケーションが起動されておらず、携帯端末装置２から文字情報の受け入れが不可能であることを示す「ＮＧ」信号を送信する（Ｓ６９）。
【００７３】
一方、携帯端末装置２において、通信制御部２０６が通信インターフェイス２４を介して上記「ＯＫ」信号を受信すると（Ｓ５４でＹＥＳ）、制御部２０１が撮像部２７を起動させる（Ｓ５５）。撮像部２７により被写体が時間経過と共に逐次に撮像されると（Ｓ５６）、送信制御部２０３は、当該撮像画像を、通信インターフェイス２４を介してＰＣ３に向けて送信する（Ｓ５７）。操作者による操作部２１の操作で画像送信プログラムの終了指示が入力されるまで（Ｓ５８でＮＯ）、Ｓ５５〜Ｓ５７の処理が繰り返される。
【００７４】
また、ＰＣ３において、携帯端末装置２から送信されてくる上記撮像画像を情報受信部３０２が受信すると（Ｓ６５でＹＥＳ）、情報受付部３０３は、当該受信され撮像画像を、この時点で立ち上げられている上記予め定められたアプリケーション、例えばインターネット通話ソフトやテレビ会議ソフトに、当該アプリケーションで用いられる撮像画像として受け付けさせる（Ｓ６６）。例えば、情報受付部３０３は、インターネット通話ソフトやテレビ会議ソフトにおいて、通信相手先に送信する画像として受け付けさせるための処理を行う。
【００７５】
なお、携帯端末装置２から送信されてくる上記撮像画像を情報受信部３０２が受信していない状態では（Ｓ６５でＮＯ）、後述するＳ６７の処理が行われる。
【００７６】
また、携帯端末装置２において、操作者により画像送信プログラムの終了指示が入力されると（Ｓ５８でＹＥＳ）、通信制御部２０６は、上記画像受信プログラムを終了させる終了指示を、通信インターフェイス２４を介してＰＣ３に送信する（Ｓ５９）。この後、制御ユニット２００は、画像送信プログラムを終了させる（Ｓ６０）。
【００７７】
ＰＣ３では、上記終了指示が通信インターフェイス３１８により受信されるまでは（Ｓ６７でＮＯ）、Ｓ６５，Ｓ６６の処理が続けられる。そして、上記終了指示が通信インターフェイス３１８により受信されると（Ｓ６７でＹＥＳ）、制御ユニット３００が画像受信プログラムを終了させる（Ｓ６８）。
【００７８】
この第２実施形態によれば、ＰＣ３に接続した携帯端末装置２を、当該ＰＣ３のカメラとして機能させることができるので、ＰＣ３がカメラ機能を有していなくても、カメラにより入力される撮像画像と同様の画像を携帯端末装置２からＰＣ３に入力して、インターネット通話ソフトやテレビ会議ソフト等のアプリケーションにて用いることが可能になる。
【００７９】
また、本発明は上記実施の形態の構成に限られず種々の変形が可能である。図１乃至図８を用いて上記各実施形態に示した構成及び処理は、本発明の一実施形態に過ぎず、本発明の構成及び処理はこれに限定されるものではない。
【符号の説明】
【００８０】
１      情報入力システム
２      携帯端末装置
２００  制御ユニット
２０１  制御部
２０２  検出部
２０３  送信制御部
２０４  表示制御部
２０５  指示受付部
２０６  通信制御部
２３    表示部
２３１  指示受付用画像
２４    通信インターフェイス
２７    撮像部
３００  制御ユニット
３０１  制御部
３０２  情報受信部
３０３  情報受付部
３０４  入力部
３１５  表示部
３１８  通信インターフェイス
Ｎ１    右クリック指示受付用画像
Ｎ２    左クリック指示受付用画像
Ｎ３    スクロール指示受付用画像
【図１】
2015103109.tif 000003
【図２】
2015103109.tif 000004
【図３】
2015103109.tif 000005
【図４】
2015103109.tif 000006
【図５】
2015103109.tif 000007
【図６】
2015103109.tif 000008
【図７】
2015103109.tif 000009
【図８】
2015103109.tif 000010